(57)【要約】【課題】本発明は、信号を転送する速度を高める電気コネクタを提供することを目的とする。【解決手段】本発明の電気コネクタは、絶縁本体と、絶縁本体から突出する舌片と、舌片に固着される複数の端子とを備える。前記端子は、第１乃至第４端子と、第１端子と第２端子の間に配置される第１対の差分信号端子と、第３端子と第４端子の間に配置される第２対の差分信号端子と、を含む。前記第１乃至第４端子は、ＵＳＢ２．０と共存できるパワー端子と、負信号端子と、正信号端子と、接地端子とであり、パワー端子と負信号端子の間には一対の差分信号端子が配置されるとともに、正信号端子と接地端子の間には、他対の差分信号端子が設けられる。舌片が占めるスペースを充分に利用して、端子の数量を増加する。これにより、信号を転送する速度が高められる。【選択図】図１３
2008270220.tif 000002
【特許請求の範囲】
【請求項１】
絶縁本体と、
絶縁本体から突出する舌片と、
舌片に固着され、第１乃至第４端子と、第１端子と第２端子の間に配置される第１対の差分信号端子と、第３端子と第４端子の間に配置される第２対の差分信号端子と、を含む複数の端子と、
を備えることを特徴とする電気コネクタ。
【請求項２】
前記第１乃至第４端子は、ＵＳＢ２．０標準と共存できるパワー端子と、負信号端子と、正信号端子と、接地端子とであり、パワー端子と負信号端子の間の距離と、正信号端子と接地端子の間の距離とは、それぞれＵＳＢ２．０標準に対応する端子の間の距離より大きいことを特徴とする請求項１に記載の電気コネクタ。
【請求項３】
前記パワー端子と負信号端子と正信号端子及び接地端子の幅は、ＵＳＢ２．０の標準に符合する対応の端子の幅より小さいことを特徴とする請求項２に記載の電気コネクタ。
【請求項４】
前記第１対の差分信号端子の構造が第２対の差分信号端子の構造と相同し、各端子は接触部と、接触部と連接する尾部とを具備し、前記第１対の差分信号端子は第１、第２差分信号端子を含むことを特徴とする請求項１に記載の電気コネクタ。
【請求項５】
前記第１対の差分信号端子の第２差分信号端子には連接部が設けられ、第２差分信号端子の接触部と尾部が平板状のように連接部の上、下端から延出され、第１差分信号端子の接触部と第２差分信号端子の接触部が前後に沿って一直線に配置されて互いに隔てられていることを特徴とする請求項４に記載の電気コネクタ。
【請求項６】
前記第１差分信号端子の接触部と第２差分信号端子の接触部が前後に沿って対応しなくて互いに隔てられ、前記端子は前記舌片から突伸することを特徴とする請求項４に記載の電気コネクタ。
【請求項７】
前記舌片は、実装面と、実装面と対向する相手面とを有し、実装面には前記端子を収納する端子溝が形成されることを特徴とする請求項１に記載の電気コネクタ。
【請求項８】
前記電気コネクタは、前記絶縁本体と舌片と端子とを被覆するハウジングを備え、該ハウジングと実装面の間には相手コネクタを収納するための収納口が形成されることを特徴とする請求項７に記載の電気コネクタ。
【請求項９】
前記電気コネクタは絶縁本体と舌片と端子とを被覆する被覆部材、及び被覆部材に実装されている端子と電気接続する内部回路基板とを含み、該内部回路基板には複数の記憶ユニットが設けられていることを特徴とする請求項７に記載の電気コネクタ。
【請求項１０】
前記電気コネクタは絶縁本体の舌片を被覆し、絶縁本体に対して移動可能なカバーを備え、前記絶縁本体には複数のカード接触点が設けられ、一体になる絶縁本体と舌片と蓋体が記憶カードに形成されることを特徴とする請求項１に記載の電気コネクタ。
【発明の詳細な説明】
【技術分野】
【０００１】
本発明は、電気コネクタに関し、特に、ＵＳＢ（Ｕｎｉｖｅｒｓａｌ  Ｓｅｒｉａｌ  Ｂｕｓ）標準に符合した電気コネクタに関するものである。
【背景技術】
【０００２】
図２２及び図２３に示すように、従来技術のＵＳＢコネクタは、プラグ５００とソケット６００とを具備する。プラグ５００は、ケブール５７と該ケブール５７を被覆する絶縁本体５５とを有する。該絶縁本体５５は、舌片５２と、舌片５２に装着される四つのプラグ端子５３と、前記舌片５２とプラグ端子５３とを被覆するハウジング５４とを備える。舌片５２の上表面とハウジング５４の間には、ソケット６００の舌片６２を収納するための収納孔５６が形成される。プラグ端子５３は、パワー端子５３１と、負信号端子５３２と、正信号端子５３３と、接地端子５３４とを含む。ソケット６００は舌片６２と、舌片６２の下表面に実装される四つのソケット端子６３と、ハウジング６４とを備える。前記ソケット端子６３はパワー端子６３１と、負信号端子６３２と、正信号端子６３３と、接地端子６３４とを含む。舌片６２の下表面とハウジング６４の間には、プラグ５００の舌片５２を収納するための収納孔６６が形成される。プラグ６００がソケット５００と連接する時、ソケット端子６３がプラグ端子５３と電気接続する。
【発明の開示】
【発明が解決しようとする課題】
【０００３】
信号を転送する速度を高めるため、従来の端子には複数の端子を付加する必要がある。同時に、従来のＵＳＢコネクタが占めるスペースを増加させないことが求められる。
【０００４】
そこで本発明の目的は、信号を転送する速度を高める電気コネクタを提供することにある。
【課題を解決するための手段】
【０００５】
前記目的を達成するために、本発明の電気コネクタは、絶縁本体と、絶縁本体から突出する舌片と、舌片に固着される複数の端子とを備える。前記端子は、第１乃至第４端子と、第１端子と第２端子の間に配置される第１対の差分信号端子と、第３端子と第４端子の間に配置される第２対の差分信号端子と、を含む。前記第１乃至第４端子は、ＵＳＢ２．０と共存できるパワー端子と、負信号端子と、正信号端子と、接地端子とである。
【発明の効果】
【０００６】
従来の技術に比べると、本発明は以下の長所がある。本発明の電気コネクタのパワー端子と負信号端子の間には一対の差分信号端子が配置されるとともに、正信号端子と接地端子の間には、他対の差分信号端子が設けられる。舌片が占めるスペースを充分に利用して、端子の数量は増加する。これにより、信号を転送する速度が高められる。
【発明を実施するための最良の形態】
【０００７】
図１乃至図５に基づくと、本発明の電気コネクタは、ＵＳＢプラグ１００或いはＵＳＢプラグ１００と連接するＵＳＢソケット２００である。ＵＳＢプラグ１００はプラグ主体部１０と、該プラグ主体部１０に挿入される複数のプラグ端子１３と、該プラグ主体部１０を被覆するハウジング１４とを備える。
【０００８】
図１乃至図４に示すように、プラグ主体部１０は、絶縁本体１１と、該絶縁本体１１から前向きに突伸する舌片１２とを有する。舌片１２は、前記プラグ端子１３を収納する複数のプラグ端子溝１２３が形成される支持部１２１と、該支持部１２１と対向する底部１２２とを含む。絶縁本体１１の側面と底面には、それぞれ複数の凸状部片１１３と固定脚１１６が設けられる。絶縁本体１１の頂面には、複数の凹部１１４が形成される。
【０００９】
ＵＳＢプラグ１００はＵＳＢ標準ソケット６００と連接することに用いられる。複数のプラグ端子１３は、一対の第１、第２差分信号端子１３５，１３７と、他対の第３、第４差分信号端子１３６，１３８と、プラグ標準端子と、を含む。該プラグ標準端子はＵＳＢ標準ソケット６００のソケット端子６３と連接し、パワー端子１３１と、負信号端子１３２と、正信号端子１３３と、接地端子１３４とを具備する。各プラグ端子１３には接触部１６と、ケーブル（図示せず）と連接する尾部１７とを具備する。第１、第２差分信号端子１３５，１３７は、パワー端子１３１と負信号端子１３２の間に配置され、パワー端子１３１と負信号端子１３２とは接触しない。第１、第２差分信号端子１３５，１３７の接触部１６５，１６７は、互いに対応してパワー端子１３１と負信号端子１３２の接触部１６１，１６２の間に一直線に配置される。第３、第４差分信号端子１３６，１３８の接触部１６６，１６８は、互いに対応して正信号端子１３３、接地端子１３４の接触部１６３，１６４の間に一直線に配置される。
【００１０】
図２乃至図４に示すように、第１乃至第４差分信号端子１３５−１３８の中には、第２、第４差分信号端子１３７、１３８の構造が相同する。第２、第４差分信号端子１３７，１３８の接触部１６７，１６８は平板状の尾部１７７，１７８の前端から上向きに後向きに折り曲げられて平板状に形成される。第２、第４差分信号端子１３７，１３８の接触部１６７，１６８と尾部１７７，１７８の間に連接部１８７，１８８が設けられる。第２、第４差分信号端子１３７、１３８は前端から後向きに舌片１２のプラグ端子溝１２３に挿入される。パワー端子１３１と、負信号端子１３２と、正信号端子１３３と、接地端子１３４と、差分信号端子１３５、１３６が後端から前向きに絶縁本体１１とプラグ端子溝１２３に挿入される。接触部１６は支持部１２１に装着される。舌片１２の底部１２２には、舌片１２の前端から後向きに延在して対応するプラグ端子溝１２３を貫通する複数の溝部１２５が形成される。第２、第４差分信号端子１３７，１３８は、前記溝部１２５によって舌片１２の底部１２２から露出される。
【００１１】
図３を参照すると、第１、第２差分信号端子１３５，１３７の接触部１６５，１６７は、前後に沿って対応して互いに隔てられている。第３、第４差分信号端子１３６，１３８の接触部１６６，１６８は、前後に沿って対応して互いに隔てられている。図４を参照すると、第２、第４信号端子１３７，１３８の平板状の尾部１７７，１７８は、絶縁本体１１の底表面に固着されて露出され、後端面１１２を越えない。パワー端子１３１、負信号端子１３２、正信号端子１３３、接地端子１３４及び第１、第３差分信号端子１３５，１３６の尾部１７１−１７６は、後端面１１２を越え、前記第２、第４差分信号端子１３７，１３８の尾部１７７，１７８が位置する高度と異なる高度に位置する。これにより、複数のプラグ端子１３の間の不必要な電気接続を防止できる。
【００１２】
舌片１２の全体の寸法は通常のＵＳＢ標準プラグ５００（図２２に示す）の舌片の寸法と実質的に相同する。パワー端子１３１と負信号端子１３２の間の距離、及び正信号端子１３３と接地端子１３４の間の距離は、それぞれＵＳＢ標準プラグ５００のパワー端子５３１と負信号端子５３２の間の距離より大きく、正信号端子５３３と接地端子５３４の間の距離より大きい。一対の差分信号端子１３５，１３７は、パワー端子１３１と負信号端子１３２の間に配置され、他対の差分信号端子１３６，１３８は、正信号端子１３３と接地端子１３４の間に配置される。パワー端子１３１と接地端子１３４が両側に向かって移動するという方法を採用し、両者の間の距離を大きくすることで、両者の間の距離はＵＳＢ標準プラグ５００の対応する距離より大きくなる。スペースを引き払うため、パワー端子１３１と負信号端子１３２の間の距離と、正信号端子１３３と接地信号端子１３４の間の距離は、ＵＳＢ標準プラグ５００の対応する距離より大きくなる。この目的を達成するためには、負信号端子１３２、正信号端子１３３の幅を減少させ、或いは負信号端子１３２、正信号端子１３３を舌片１２の中心に向かって移動させる。これにより、舌片１２に固着される端子の数量は増加するが、舌片１２の寸法は増加しない。舌片１２が占めるスペースは充分に利用される。
【００１３】
プラグ端子１３は、通常の回路基板（図示せず）に設けられる接点に代えられてもよい。前記回路基板は舌片１２の支持部１２１に取り付けられる。
【００１４】
ハウジング１４は、頂壁１４１と、頂壁１４１と対向する底壁１４２と、該頂壁１４１と底壁１４２とを連接する側壁１４６と、前記プラグ主体部１０を収納する収納穴１０１とを備える。プラグ端子１３の接触部１６はハウジング１４の収納穴１０１に収納される。ハウジング１４と舌片１２とは通常のＵＳＢ標準プラグに用いられている。頂壁１４１と底壁１４２には、一対の貫通穴１４３が形成される。絶縁本体１１の凸状部片１１３はハウジング１４の側壁１４６に当接する。ハウジング１４の突出部１４４は絶縁本体１１の凹部１１４に嵌め込まれる。ハウジング１４は絶縁本体１１を被覆する。
【００１５】
図６乃至図１１に示すように、ＵＳＢソケット２００は重なりあった二層構造に形成され、絶縁部２０と、絶縁部２０に収納されるソケット端子２３と、蓋体とを備える。該蓋体は絶縁部２０を被覆する前蓋体２４と、絶縁部２０の後部を被覆する後蓋体２８と、絶縁部２０の中間に設けられる中間部２５を被覆する内蓋体２９とを有する。絶縁部２０は、絶縁本体２１と、絶縁本体２１から前向きに突出する一対の舌片２２と、該一対の舌片２２の間に設けられる中間部２５とを含む。該舌片２２は、通常のＵＳＢソケットの標準に符合し、相手面２２２と、相手面２２２と対向する実装面２２１とを有する。絶縁本体２１の側面と後面には、複数の突伸部２１３が設けられる。絶縁本体２１の底面には回路基板を当接する凸柱２１６が設けられる。絶縁本体２１の側面には前記前蓋体２４と係合する複数の凹溝２１４が形成される。舌片２２の実装面２２１には複数のソケット端子溝２２３が形成される。絶縁本体２１の後部にはソケット端子２３を収納するための収納部２０３と、該収納部２０３を貫通する一対の収納溝２１７とが設けられる。
【００１６】
それぞれ該ソケットコネクタ２００の上、下相手端口に挿入されるソケット端子２３は実質的に相同する。上相手端口に挿入されるソケット端子２３は第１、第２差分信号端子２３５，２３７と、第３、第４差分信号端子２３６，２３８と、ソケット標準端子とを含む。該ソケット標準端子は、ＵＳＢ標準プラグ５００のプラグ端子５３と連接でき、パワー端子２３１と、負信号端子２３２と、正信号端子２３３と、接地端子２３４とを含む。第１、第２差分信号端子２３５，２３７はパワー端子２３１と負信号端子２３２の間に配置され、パワー信号端子２３１と負信号端子２３２とを接触しない。第３、第４差分信号端子２３６，２３８は、正信号端子２３３と接地端子２３４の間に配置され、正信号端子２３３と接地端子２３４とを接触させない。
【００１７】
図８乃至図１０を参照すると、舌片２２の相手面２２２には、前記ソケット端子溝２２３と貫通する一対の貫通溝２２５が形成される。ソケット端子溝２２３に挿入される差分信号端子２３５−２３８は、前記貫通溝２２５によって舌片２２の上に露出される。
【００１８】
図７乃至図９に示すように、各ソケット端子２３は、舌片２２の実装面２２１に固着される接触部２６と、絶縁本体２１の底面に沿って延在する尾部２７とを有する。パワー端子２３１と負信号端子２３２と正信号端子２３３と接地端子２３４の尾部２７は半筒状の構造によって補強される。
【００１９】
図１４及び図１５に示すように、一対の差分信号端子、即ち第１、第２差分信号端子２３５，２３７は、前後に沿って所定の距離で隔てられ、前後方向に沿って一直線に配置されない状態で第１、第２差分信号端子１３５，１３７と接触する。他対の差分信号端子、即ち第３、第４差分信号端子２３６，２３８の設置は、第１、第２差分信号端子２３５，２３７の設置と相同する。差分信号端子２３５−２３８は絶縁部材２０７と一体に形成され、接触部２６と尾部２７とが絶縁部材２０７から延出する。絶縁部材２０７が絶縁本体２１の収納溝２１７に挿入され、収納部２０３に収納される。
【００２０】
ソケット端子２３が舌片２２の実装面２２１に配置される方式はプラグ端子が舌片１２の支持部１２１に配置される方式と相同する。
【００２１】
図６乃至図９を示すように、前記前蓋体２４は頂壁２４２と、頂壁２４２と対向する底壁２４１と、頂壁２４２と底壁２４１を連接する側壁２４９とを具備する。前蓋体２４が絶縁部２０の絶縁本体２１に実装され、絶縁本体２１と舌片２２とソケット端子２３とを被覆する。舌片２２の実装面２２１、相手面２２２と前蓋体２４の間には収納口２０２が形成される。底壁２４１と、頂壁２４２と、側壁２４９には弾力ビーム２４３，２４６が設けられる。頂壁２４２には、後蓋体２８に設けられる複数の係合片２８７と係合する複数の係合孔２４７が形成される。側壁２４９には、絶縁本体２１の突伸部２１３を収納する凹口２４８と、内へ突出して前記凹溝２１４に嵌合される伸出部２４４とを具備する。
【００２２】
内蓋体２９は、絶縁本体２１に挿入されて中間部２５を被覆し、前壁２９０と、前壁２９０から後向きに延在する一対の側壁２９２と、頂壁２９４と、底壁２９５とを含む。側壁２９２と頂壁２９４と底壁２９５には複数の弾力片２９１，２９３が設けられる。舌片２２の実装面２２１と頂壁２９４の間には収納口２０１が形成される。ソケット端子２３の接触部２６は、収納口２０１に向かって露出される。
【００２３】
本実施状態におけるＵＳＢソケット２００は、ＵＳＢプラグ１００或いは通常のＵＳＢ標準プラグ５００と連接できる。ＵＳＢプラグ１００は、ＵＳＢソケット２００或いは通常のＵＳＢ標準ソケット６００と連接できる。
【００２４】
図１２乃至図１５に示すように、ＵＳＢプラグ１００とＵＳＢソケット２００と連接する時、プラグ端子１３とソケット端子２３が連接する。ＵＳＢプラグ１００とＵＳＢソケット２００の間にＵＳＢ標準信号だけを転送する時、プラグ端子１３のパワー端子１３１、負信号端子１３２、正信号端子１３３と、接地端子１３４は、それぞれソケット端子２３のパワー端子２３１、負信号端子２３２、正信号端子２３３と、接地端子２３４と電気接続する。同時に、プラグ端子１３の両対の差分信号端子１３５−１３８は、ソケット端子２３の両対の差分信号端子２３５−２３８と電気接続しない。ＵＳＢプラグ１００とＵＳＢソケット２００の間にＵＳＢ標準信号と非ＵＳＢ標準信号を転送する時、全部のプラグ端子１３と全部のソケット端子２３とが電気接続する。プラグ端子１３の一対の差分信号端子１３５，１３７が、ソケット端子２３の対向する差分信号端子２３５，２３７と電気接続することによって、差分信号を転送するか或いは受ける。プラグ端子１３の他対の差分信号端子１３６，１３８が、ソケット端子２３の対向する差分信号端子２３６，２３８と電気接続することによって、差分信号を受けるか或いは転送する。
【００２５】
図１６及び図１７に示すように、通常のＵＳＢ標準プラグ５００がＵＳＢソケット２００と連接する時、通常のＵＳＢ標準プラグ５００の全部の端子５３は、即ちパワー端子５３１と、負信号端子５３２と、正信号端子５３３と、接地端子５３４とは、それぞれソケット端子２３のパワー端子２３１と、負信号端子２３２と、正信号端子２３３と、接地端子２３４と電気接続し、通常のＵＳＢ標準信号を転送する。両対の差分信号端子１３５−１３８はＵＳＢ標準ソケット６００の端子６３と接触しない。
【００２６】
図１９を参照すると、第２実施状態において、電気コネクタはＵＳＢ記憶装置３００である。該ＵＳＢ記憶装置３００は、被覆部材３６と、記憶ユニットが設けられている内部回路基板と、該内部回路基板と連接する相手端３１と、遮蔽部材３４とを備える。相手端３１の構造が図１に示されるＵＳＢプラグ１００の前端の構造と相同する。相手端３１は、舌片３２と、舌片３２の支持部３２１に実装される複数の導電端子３３とを含む。該導電端子３３の末端は内部回路基板と連接する。導電端子３３の他の特徴は、図１に示されるプラグ端子１３の特徴と相同する。遮蔽部材３４は舌片３２及び導電端子３３を被覆する。ＵＳＢ記憶装置３００は通常のＵＳＢ標準ソケット６００或いはＵＳＢソケット２００と連接する。
【００２７】
図２０及び図２１に示すように、第３実施状態において、電気コネクタは記憶カード４００であり、絶縁本体４１と、絶縁本体４１の前端に設けられる複数の接触点４４と、絶縁本体４１と連接する舌片４２と、該舌片４２に実装される複数のカード端子４３と、ヒンジによって回転可能なカバー４５とを備える。該記憶カード４００は、ＳＤ（Ｓｅｃｕｒｅ  Ｄｉｇｉｔａｌ）カードである。カバー４５にはカード端子４３を収納する開口４５０が形成される。カード端子４３の配置方式はプラグ端子１３の配置方式と相同し、パワー端子４３１と、負信号端子４３２と、正信号端子４３３と、接地端子４３４と、両対の差分信号端子４３５−４３８とを備える。差分信号端子４３５，４３７は、パワー端子４３１と負信号端子４３２の間に配置され、パワー端子４３１と負信号端子４３２と接触しない。他対の差分信号端子４３６，４３８は、正信号端子４３３と接地端子４３４の間に配置され、パワー端子４３１と負信号端子４３２と接触しない。
【００２８】
カバー４５には、貫通孔４５１−４５６が形成される。カバー４５は第１位置と第２位置の間で回転させられる。図２０に示すように、カバー４５が第１位置に位置する時、舌片４２はカバー４５にカバーされる。この時、絶縁本体４１と舌片４２とカバー４５とが構成する構造、即ち記憶カード４００の構造は通常のＳＤカードと相同する。図２１を参照すると、カバー４５が第２位置に位置する時、舌片４２の寸法は、通常のＵＳＢ標準プラグの寸法の規定にほぼ符合し、所定の誤差を許す。
【００２９】
使用する時、カバー４５が開けられて第２位置に到着する時、舌片４２はＵＳＢ標準ソケット６００或いはＵＳＢソケット２００と連接する。これにより、記憶カード４００はＵＳＢ標準ソケット６００或いはＵＳＢソケット２００の間でデータを転送できる。カバー４５が第１位置に位置する時、記憶カード４００と記憶カード４００を含む記憶カードコネクタの間で、データを転送できる。
【００３０】
前記カバー４５が絶縁本体４１に卸下可能に取り付けられる。カバー４５が絶縁本体４１に実装される時、記憶カード４００の構造は標準ＳＤカードと相同する。カバー４５が絶縁本体４１から下ろされる時、舌片４２とカード端子４３が露出される。記憶カード４００がＵＳＢ標準ソケット６００或いはＵＳＢソケット２００を含む電子装置と連接する。本実施状態において、カード端子４３は接触点４４と、記憶カード４００の同側に設けられている。他実施状態においては、カード端子４３は接触点４４とは、記憶カード４００の異なる側部に設けられている。
【００３１】
以上の実施状態におけるパワー端子１３１，２３１，３３，４３１と、負信号端子１３２，２３２，３３，４３２と、正信号端子１３３，２３３，３３，４３３と、接地端子１３４，２３４，３３，４３４とは、第１、第２、第３、第４端子とも呼べる。第１、第２端子の間には、一対の差分信号端子を取付けるとともに、第３、第４端子の間には他対の差分信号端子を取付ける。これにより、端子の数量を増加することによって信号を転送する速度が高められるとともに、舌片が占めるスペースを充分に利用する。
【００３２】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００３３】
【図１】本発明の第１実施状態におけるＵＳＢプラグの斜視図である。
【図２】図１に示すＵＳＢプラグの立体分解図である。
【図３】図１に示すハウジングが取り付けられていないＵＳＢプラグの斜視図である。
【図４】図３に示すハウジングが取り付けられていないＵＳＢプラグの他の斜視図である。
【図５】図４に示すハウジングが取り付けられていないＵＳＢプラグの斜視図である。
【図６】本発明の第１実施状態におけるＵＳＢソケットの斜視図である。
【図７】図６に示すＵＳＢソケットの立体分解斜視図である。
【図８】図７に示すＵＳＢソケットの他の立体分解斜視図である。
【図９】蓋体が取り付けられていないＵＳＢソケットの斜視図である。
【図１０】蓋体が取り付けられていないＵＳＢソケットの他の斜視図である。
【図１１】ＵＳＢソケットの一対の差分信号端子の斜視図である。
【図１２】ＵＳＢプラグがＵＳＢソケットと連接した状態の斜視図である。
【図１３】図１２ＸＩＩＩ−ＸＩＩＩ線で切断した断面図である。
【図１４】図１２に示すハウジングが取り付けられていないプラグコネクタと、蓋体が取り付けられていないソケットコネクタの斜視図である。
【図１５】図１４に示すプラグコネクタとソケットコネクタの斜視図である。
【図１６】通常のＵＳＢ標準プラグが本発明の第１実施状態におけるＵＳＢソケットと連接した状態の斜視図である。
【図１７】図１４に示す通常のＵＳＢ標準プラグが本発明の第１実施状態におけるＵＳＢソケットと連接した状態の他の斜視図である。
【図１８】本発明の第１実施状態のＵＳＢプラグが通常のＵＳＢ標準ソケットと連接する斜視図である。
【図１９】本発明の第２実施状態におけるＵＳＢ記憶装置の斜視図である。
【図２０】本発明の題３実施状態における記憶カードの斜視図である。
【図２１】図２０に示す記憶カードのカバーを開けた時の、舌片と端子の斜視図である。
【図２２】ケブールと連接する通常のＵＳＢ標準プラグの斜視図である。
【図２３】ＵＳＢ標準ソケットの斜視図である。
【符号の説明】
【００３４】
１００  プラグコネクタ
１０  プラグ主体部
１０１  収納穴
１１  絶縁本体
１１２  後端面
１１３  凸状部片
１１４  凹部
１１６  固定脚
１２  舌片
１２１  支持部
１２２  底部
１２３  プラグ端子溝
１２５  溝部
１３  プラグ端子
１３１  パワー端子
１３２  負信号端子
１３３  正信号端子
１３４  接地端子
１３５  第１差分信号端子
１３６  第３差分信号端子
１３７  第２差分信号端子
１３８  第４差分信号端子
１４  ハウジング
１４１  頂壁
１４２  底壁
１４３  貫通穴
１４４  突出部
１４６  側壁
１６  接触部
１６１−１６８  接触部
１７１−１７８  尾部
２０  絶縁部
２００  ソケットコネクタ
２０１、２０２  収納口
２０３  収納部
２０７  絶縁部材
２１  絶縁本体
２１３  突伸部
２１４  凹溝
２１６  凸柱
２１７  収納溝
２２  舌片
２２１  実装面
２２２  相手面
２２３  ソケット端子溝
２２５  貫通溝
２３  ソケット端子
２３１  パワー端子
２３２  負信号端子
２３３  正信号端子
２３４  接地端子
２３５  第１差分信号端子
２３６  第３差分信号端子
２３７  第２差分信号端子
２３８  第４差分信号端子
２４  前蓋体
２４１  底壁
２４２  頂壁
２４３、２４６  弾力ビーム
２４４  伸出部
２４７  係合孔
２４８  凹口
２４９  側壁
２５  中間部
２６  接触部
２７  尾部
２８  後蓋体
２８７  合片
２９  内蓋体
２９０  前壁
２９１、２９３  弾力片
２９２  側壁
２９４  頂壁
２９５  底壁
３００  ＵＳＢ記憶装置
３１  相手端
３２  舌片
３２１  支持体
３３  導電端子
３４  遮蔽部材
３６  被覆部材
４００  記憶カード
４１  絶縁本体
４２  舌片
４３  カード端子
４３１  パワー端子
４３２  負信号端子
４３３  正信号端子
４３４  接地端子
４３５−４３８  差分信号端子
４４  接触点
４５  カバー
４５１−４５６  貫通孔
５００  ＵＳＢ標準プラグ
６００  ＵＳＢ標準ソケット
【図１】
2008270220.tif 000003
【図２】
2008270220.tif 000004
【図３】
2008270220.tif 000005
【図４】
2008270220.tif 000006
【図５】
2008270220.tif 000007
【図６】
2008270220.tif 000008
【図７】
2008270220.tif 000009
【図８】
2008270220.tif 000010
【図９】
2008270220.tif 000011
【図１０】
2008270220.tif 000012
【図１１】
2008270220.tif 000013
【図１２】
2008270220.tif 000014
【図１３】
2008270220.tif 000015
【図１４】
2008270220.tif 000016
【図１５】
2008270220.tif 000017
【図１６】
2008270220.tif 000018
【図１７】
2008270220.tif 000019
【図１８】
2008270220.tif 000020
【図１９】
2008270220.tif 000021
【図２０】
2008270220.tif 000022
【図２１】
2008270220.tif 000023
【図２２】
2008270220.tif 000024
【図２３】
2008270220.tif 000025